(57)【特許請求の範囲】
【請求項１】
ポリエチレンテレフタレート樹脂の有底パリソン（１）を素材として、底部（８）および肩部（９）を除く箇所の最小肉厚が０．０５ｍｍ以上で、最大肉厚が０．５ｍｍ以内であるように、２軸延伸ブロー成型した薄肉内容器（２）が紙製外容器（７）内に収容され、かつ薄肉内容器（２）の外側壁表面（１０）と、紙製外容器（７）の内側壁表面（１３）とが接面し、薄肉内容器（２）の底部外周（１１）と紙製外容器（７）の底部（１４）とは接触しているが、薄肉内容器（２）の底部中心部（１２）と紙製外容器（７）の底部（１４）とは少なくとも１．５ｍｍ以上離れていることを特徴とする飲用または調味液体用の２重容器。
【発明の詳細な説明】
【０００１】
【発明の属する技術分野】
この発明は酒類、味醂、飲用油、麺つゆ、生ドレッシング等のうち、充填前に加熱された飲用または調味液体を充填するに適した２重容器に関する。
【０００２】
【従来の技術】
さきに出願人は飲用または調味液体の充填方法と、これら液体用の２重容器について発明し、特願平７−３８９５４号として出願した。
【０００３】
【発明が解決しようとする課題】
このさきの発明は、有底パリソンを素材として、これをブロー成型した薄肉内容器に飲用または調味液体を充填し、キャップを施す際に、液体の温度が０℃以下かあるいは３５℃以上である時には、熱交換で０℃以上３５℃以内に調整した上で、充填と薄肉内容器に対するキャップの装着とをクリーンルーム内で行い、液体が充填され、またキャップが装着された薄肉内容器は、クリーンルーム外に出され、そこで紙製外容器に収容されるが、それに用いられる２重容器は、ポリエチレンテレフタレート樹脂の有底パリソンを素材として、底部および肩部を除く箇所の最小肉厚が０．０５ｍｍ以上で最大肉厚が０．５ｍｍ以内であるようにブロー成型した薄肉内容器を紙製外容器内に収納した２重容器である。
【０００４】
この充填方法にあっては有底パリソン素材としてブロー成型した薄肉内容器を用いること、充填する液体の温度が０℃以下か、あるいは３５℃以上である時には、熱交換を行って、０℃以上３５℃以内に調整した上で充填し、また充填と薄肉内容器に対するキャップの装着とをクリーンルーム内で行い、液体を充填し、キャップが装着された薄肉内容器は、クリーンルームの外で、紙製外容器に収納されるのであるが、熱交換を行うことやクリーンルームでの作業は充填工程を複雑にしたり、コストの上昇を招くことから、本発明は熱交換を行わず、またクリーンルーム内での作業を行わなくとも充分に満足できる充填が行い得、また充填後の熱交換にも充分信頼性が得られる２重容器を提供することを目的としてなされた。
【０００５】
【課題を解決するための手段】
上記した目的を達するため、この発明はポリエチレンテレフタレート樹脂の有底パリソン１を素材として、底部８および肩部９を除く箇所の最小肉厚が０．０５ｍｍ以上で、最大肉厚が０．５ｍｍ以内であるように、２軸延伸ブロー成型した薄肉内容器２が紙製外容器７内に収納されかつ薄肉内容器２の外側壁表面１０と、紙製外容器７の内側壁表面１３とが接面し、薄肉内容器２の底部外周１１と紙製外容器７の底部１４とは接触しているが、薄肉内容器２の底部中心部１２と紙製外容器７の底部１４とは少なくとも１．５ｍｍ以上離れている２重容器としたものである。
【０００６】
この発明における２重容器にあっては薄肉内容器２の液体注出入口５と、それに装着されるキャップ６は薄肉内容器２の上端に設けられており、紙製外容器の上端から、薄肉内容器２の液体注出入口５に装着されたキャップ６は突出している。
【０００７】
この発明になる２重容器に充填される液体は、日本酒、合成酒、焼酎、味醂、麺つゆ、等の各種の飲用、調味液体のうち、充填前に加熱処理が施されて、３５℃以上であり、充填後に冷却されることを必要とする種類の液体が適当であるがそれ以外でも良い。
【０００８】
この発明になる２重容器が使用された後は、通常廃棄されるが、この時薄肉内容器と、紙製外容器とは容易に分離することが出来、それぞれに従って処分される。
【０００９】
この発明になる２重容器のうちの薄肉内容器はポリエチレンテレフタレート樹脂の有底パリソンを素材とし、底部と肩部を除く箇所の最小肉厚が０．０５ｍｍ以上で最大肉厚が０．５ｍｍ以内であるように２軸延伸ブロー成型した薄肉の容器であるが、強度は強く、これ単独でも安定した強度を有するもので、これが紙製外容器内に収納されていることから、取扱中の破裂等の不安は全く生じないが、１箇の２重容器の容器としては、ほぼ２リットル程度以下であることが好ましい。
【００１０】
【作    用】
この発明になる２重容器にあっては有底パリソンを素材として２軸延伸ブロー成型された薄肉内容器に３５℃以上の液体を充填して、これを冷却するが、薄肉内容器だけで冷却処理が施されても、強度的に全く信頼性は損なわれることはない。
また薄肉内容器はポリエチレンテレフタレート樹脂の有底パリソンを素材として底部および肩部を除く箇所の最小肉厚が０．０５ｍｍ以上で最大肉厚が０．５ｍｍ以内であるように２軸延伸ブロー成型されたものであることから、容器の各部の厚さは均質化され、強度が向上されたものとなり、また薄肉内容器の外側壁表面と紙製外容器の内側壁表面とが接し、薄肉内容器の底部外周と紙製外容器の底部とは接触しているが、薄肉内容器の底部中心部と紙製外容器の底部とは少なくとも１．５ｍｍ以上離れているものとすることによって２重容器を誤って落しても落下時の衝撃による内容器の損傷が免かれる。
【００１１】
【発明の実施の形態】
図１はこの発明になる２重容器に対する充填の一例を示す工程図と、２重容器の実施の一例を示す側面図であり、図２は２重容器の要部を示す縦断側面図である。
【００１２】
１は有底パリソンで、例えばポリエチレンテレフタレート樹脂からなるもので、この有底パリソン１を製造する合成樹脂加工場から、液体の充填場例えば日本酒の酒造場が供給を受け、充填工程中に２軸延伸ブロー成型工程を設けて、供給された有底パリソン１を２軸延伸ブロー成型して薄肉内容器２としてもよく、あるいは酒造場が、有底パリソン１を始めとして薄肉内容器２までを作成してもよい。
この薄肉内容器２は底部８および肩部９を除く箇所の最小肉厚が０．０５ｍｍ以上で最大肉厚が０．５ｍｍ以内とされ、また液体注出入口５はその上端に設けられる。
【００１３】
この薄肉内容器２には充填口４から、例えば日本酒のように火入れと称する加熱処理が行われて、３５℃以上とされた液体が液体注出入口５から注入充填される。
【００１４】
液体が充填された薄肉内容器２は次の位置で液体注出入口５にキャップ６が装着される。
【００１５】
キャップ６が装着された薄肉内容器２は次の位置で冷却されるが、この冷却には、冷水噴出管３から冷水が噴出されて冷却したり、あるいは図示していないが、冷水槽中を通過すること等、任意の手段によって施される。
【００１６】
冷却された薄肉内容器２は次の位置で、紙製外容器７内に収納される。
この時薄肉内容器２のキャップ６が紙製外容器７からは露出し、しかも紙製外容器７の蓋の上端がキャップ６の上端より僅かに高い位置であるようにされるのがよい。
【００１７】
２重容器における薄肉内容器２と紙製外容器７とはその構成において次のようにされる。すなわちその一例を図２に示すように薄肉内容器２の外側壁表面１０と、紙製外容器７の内側壁表面１３とは互に接触している状態であり、薄肉内容器２の底部外周１１と紙製外容器７の底部１４とは接触するが、薄肉内容器２の底部中心部１２と紙製外容器７の底部１４とは、接触しないで離れており、この程度は少なくとも１．５ｍｍ以上離れている。
【００１８】
この発明における２重容器のうちの紙製外容器７は、原則として防水性とする必要はないが、消費者が液体を冷却するために冷蔵庫に収容した場合、表面から吸湿し容器が軟化することが考えられ、また冷所から出して放置した時に、紙製外容器の表面に結露が生ずる等のことを考慮して、表面に防湿性を付与することは好ましい。
【００１９】
【発明の効果】
この発明になる２重容器は、有底パリソンを素材として２軸延伸ブロー成型した薄肉容器を用いたがために容器の各部の厚さが均質化されて強度が向上されたものとなり、これに３５℃以上の液体を充填し、この充填された薄肉内容器だけで冷却処理が施されても強度的に全く信頼性が損なわれることがない。
【００２０】
２重容器を構成する薄肉内容器はポリエチレンテレフタレート樹脂の有底パリソンを素材として底部および肩部を除く箇所の最小肉厚が０．０５ｍｍ以上で最大肉厚が０．５ｍｍ以内であるように２軸延伸ブロー成型されたものであることから、極めて薄肉であるにもかかわらず、容器の各部の厚さは均質化され、強度が向上されたものとなったし、また薄肉内容器の外側壁表面と紙製外容器の内側壁表面とが接し、薄肉内容器の底部外周と、紙製外容器の底部とは接触しているが、薄肉内容器の底部中心部と紙製外容器の底部とは少なくとも１．５ｍｍ以上離れているものとすることによって、２重容器を誤って落としても落下時の衝撃による内容器の損傷が免れるものとなった。また薄肉内容器の液体注出入口とキャップが薄肉内容器の上端が設けられることにより、内容物の注出が終った時における残存量は零となるものであり、また薄肉内容器のキャップの頂面より紙製外容器の蓋の頂面が高い位置にあるようすることによって、２重容器の積み重ねに対する耐荷重を得るものとなる。
【００２１】
さらに２重容器は少量の樹脂量から成る薄肉内容器と紙製外容器とからなり、紙製外容器の中に、薄肉内容器が収納されている単純な構成であることから、使用済後の分別回収が容易であり、既存の容器のように、紙とポリエチレンフィルムあるいはアルミ箔等を複層化したのは複層化のためにコスト高となったり、用済後の紙の回収再生や焼却に際しての、紙とフィルムとの分離が困難であるといったような難点がないものである。
【図面の簡単な説明】
【図１】この発明になる２重容器に対する充填の一例を示す工程図とこの発明になる２重容器の実施の一例を示す側面図。
【図２】この発明になる２重容器の実施の一例の要部を示す縦断側面図。
【符号の説明】
１  有底パリソン
２  薄肉内容器
３  冷水噴出管
４  充填口
５  液体注出入口
６  キャップ
７  紙製外容器
８  薄肉内容器の底部
９  薄肉内容器の肩部
１０  薄肉内容器の外側壁表面
１１  薄肉内容器の底部外周
１２  薄肉内容器の底部中心部
１３  紙製外容器の内側壁表面
１４  紙製外容器の底部
【図１】
0003627314.tif 000002
【図２】
0003627314.tif 000003